(57)【特許請求の範囲】
【請求項１】
光軸中心開口と、光軸方向の位置基準面とを有する調整固定枠；
少なくとも一部がこの光軸中心開口内に径方向の遊びをもって位置する、レンズを支持したレンズ枠体；
このレンズ枠体に形成した、上記調整固定枠の位置基準面に当接する位置基準面を有する外方フランジ；
上記調整固定枠の位置基準面に凹設した位置指標凹部；及び
上記レンズ枠体の上記外方フランジに形成した位置指標切欠；
上記外方フランジに形成した、接着剤の複数の接着剤塗布切欠；及び
上記調整固定枠の上記位置指標凹部と上記レンズ枠体の上記位置指標切欠が重合したときに上記接着剤塗布切欠と重合する、上記調整固定枠の位置基準面に形成した接着剤塗布凹部；
を有することを特徴とするレンズ光軸調整枠構造。
【請求項２】
請求項１記載のレンズ光軸調整枠構造において、上記外方フランジは、複数に分割されており、各分割外方フランジにそれぞれ上記接着剤塗布切欠が形成されているレンズ光軸調整枠構造。
【請求項３】
請求項２記載のレンズ光軸調整枠構造において、上記レンズ枠体の上記接着剤塗布切欠は、最大径部が開放された略半円形または矩形をなしているレンズ光軸調整枠構造。
【請求項４】
請求項１から３のいずれか１項記載のレンズ光軸調整枠構造において、上記調整固定枠の接着剤塗布凹部が、上記レンズ枠体の接着剤塗布切欠より大きいレンズ光軸調整枠構造。
【請求項５】
請求項１から４のいずれか１項記載のレンズ光軸調整枠構造において、上記接着剤は紫外線硬化型接着剤であるレンズ光軸調整枠構造。
【発明の詳細な説明】
【０００１】
【技術分野】
本発明は、カメラのレンズ光軸を調整する調整枠構造に関する。
【０００２】
【従来技術及びその問題点】
近来、デジタルカメラなどに用いるレンズ系は、高解像度化やコンパクト化が求められており、その結果、レンズ系を構成する一部のレンズ群のピント感度（偏心感度）が非常に高くなることがある。例えば、特に高いピント感度を持つレンズ群では、その偏心量を数μｍ程度に抑えることが要求されている。従来、レンズ群の偏心を抑えるには、レンズとレンズ枠体の嵌合精度、あるいはレンズ枠体同士の嵌合精度を高めて対処されてきたが、嵌合精度で数μｍオーダーの精度を出すのは非常に困難である。
【０００３】
【発明の目的】
本発明は、レンズの光軸調整（偏心調整）についての以上の問題意識に基づき、レンズとレンズ枠体、あるいはレンズ枠体同士の嵌合精度によることなく、レンズ群の偏心調整を行うことができるレンズ光軸調整枠構造を得ることを目的とする。
【０００４】
【発明の概要】
本発明は、嵌合精度による代わりに、レンズを支持したレンズ枠体の調整固定枠に対する光軸方向の位置を定めたまま光軸と直交する方向の位置調整を可能とし、調整後に接着剤によってその調整後の位置に固定するという着眼によってなされたものである。
【０００５】
本発明のレンズ光軸調整枠構造は、光軸中心開口と、光軸方向の位置基準面とを有する調整固定枠；少なくとも一部がこの光軸中心開口内に径方向の遊びをもって位置する、レンズを支持したレンズ枠体；このレンズ枠体に形成した、上記調整固定枠の位置基準面に当接する位置基準面を有する外方フランジ；上記調整固定枠の位置基準面に凹設した位置指標凹部；及び上記レンズ枠体の上記外方フランジに形成した位置指標切欠；上記外方フランジに形成した、接着剤の複数の接着剤塗布切欠；及び上記調整固定枠の上記位置指標凹部と上記レンズ枠体の上記位置指標切欠が重合したときに上記接着剤塗布切欠と重合する、上記調整固定枠の位置基準面に形成した接着剤塗布凹部；を有することを特徴としている。
【０００６】
外方フランジは、複数に分割し、各分割外方フランジにそれぞれ接着剤の塗布切欠を形成することによって、外方フランジが存在しない部分の利用可能性を高めることができる。接着剤の塗布切欠は、接着剤の接着関与面積を広げるため、最大径部が開放された略半円形や矩形とするのがよい。同様に、調整固定枠の位置基準面には、レンズ枠体の接着剤塗布切欠に対応させて、該塗布凹部より大きい凹部を形成するのがよい。
【０００７】
【発明の実施形態】
図５は、本発明の対象とするレンズ光軸調整枠構造を含むレンズ鏡筒の一例の全体を示している。このレンズ鏡筒は、デジタルカメラ用のズームレンズ鏡筒であり、レンズ系としては、物体側から順に、第１レンズ群Ｌ１、第２レンズ群Ｌ２、及び第３レンズ群Ｌ３を有し、第３レンズ群Ｌ３の後方にＣＣＤ１０が位置している。ＣはＣＣＤ１０の前方に位置するローパスフィルタである。ズーミングは、第１レンズ群Ｌ１と第２レンズ群Ｌ２が光軸方向に所定の位置関係で移動してなされ、フォーカシングは第３レンズ群Ｌ３が移動してなされる。各レンズ群の移動機構の詳細は、本発明の主題と関係がないので、説明を省略する。
【０００８】
本発明の対象とするレンズ光軸調整枠構造は、第２レンズ群Ｌ２に採用されている。第２レンズ群Ｌ２は、物体側から順に、第２−１レンズＬ２１、第２−２レンズＬ２２、及び第２−３レンズＬ２３から構成されており、第２−２レンズＬ２２と第２−３レンズＬ２３は貼り合わされている。この第２−１レンズＬ２１及び第２−２レンズＬ２２と第２−３レンズＬ２３の貼り合わせレンズがピント感度の高いレンズであり、その偏心量を高精度に調整する必要がある。
【０００９】
第２レンズ群Ｌ２回りの鏡筒構造のみを取り出した図４にも明らかなように、第２−１レンズＬ２１は、調整固定枠２０に熱かしめによって固定されており、貼り合わされた第２−２レンズＬ２２と第２−３レンズＬ２３は、その第２−３レンズＬ２３がレンズ枠体３０に同じく熱かしめによって固定されている。すなわち、調整固定枠２０は、第２−１レンズＬ２１を熱かしめする筒状部２１と、レンズ枠体３０の一部を受け入れる光軸中心開口２２とを有しており、その光軸中心開口２２よりＣＣＤ１０側に、光軸と直交する光軸方向の位置基準面２３が形成されている。
【００１０】
一方、レンズ枠体３０は、第２−３レンズＬ２３を熱かしめする筒状部３１と、調整固定枠２０の筒状部２１内に径方向の遊びをもって嵌まる筒状部３２と、調整固定枠２０の位置基準面２３に当接する位置基準面３３を有する、径方向外方に突出する図示例では３個の外方分割フランジ３４とを備えている。光軸中心開口２２と筒状部３２とのクリアランスは、レンズ枠体３０の最大でも数１０μｍ程度の径方向の調整代をカバーできる程度でよく、図４では明瞭には表れていない。
【００１１】
各外方分割フランジ３４にはそれぞれ、該レンズ枠体３０の単体形状を示す図３に明らかなように、最大径部が開放された略半円形の接着剤塗布切欠（切欠）３５が形成されている。また、３個の外方分割フランジ３４のうちの１個の外方分割フランジ３４には、回転方向位置指標としての位置指標切欠（切欠）３６が形成されている。
【００１２】
調整固定枠２０には、該固定枠２０の単体形状を示す図２に明らかなように、レンズ枠体３０の接着剤塗布切欠３５に対応させて、接着剤塗布切欠３５より大きい接着剤塗布凹部２５が形成されている。また、レンズ枠体３０の位置指標切欠３６に対応させて、回転方向位置指標としての位置指標凹部２６が形成されている。この位置指標凹部２６と位置指標切欠３６の位置をほぼ一致させることで、接着剤塗布凹部２５と接着剤塗布切欠３５の位置が合致する。位置指標凹部２６と位置指標切欠３６は、接着剤塗布凹部２５と接着剤塗布切欠３５に比して形状を小さく設定することで、見分けを容易にしている。
【００１３】
上記構成の本レンズ光軸調整枠構造は次のようにして調整固定枠２０とレンズ枠体３０を接着固定する。まず、調整固定枠２０の筒状部２１に第２−１レンズＬ２１を熱かしめして固定し、レンズ枠体３０の筒状部３１に第２−２レンズＬ２２を接着した第２−３レンズＬ２３を熱かしめして固定する。次に、調整固定枠２０をその位置基準面２３を上にして光軸を垂直方向に向けた状態に支持し、その光軸中心開口２２内に、レンズ枠体３０の筒状部３２を嵌める。すると、位置基準面２３と位置基準面３３とが当接する。このとき、調整固定枠２０とレンズ枠体３０を相対回転させて、位置指標凹部２６と位置指標切欠３６の位置をほぼ一致させる。この当接により、第２−１レンズＬ２１と、第２−２レンズＬ２２＋第２−３レンズＬ２３との光軸方向の位置がほぼ定まり、かつ、各接着剤塗布切欠３５の下に接着剤塗布凹部２５が位置することとなる。この位置基準面２３と位置基準面３３の当接状態を維持したまま、モニタを観察しながら、調整固定枠２０に対してレンズ枠体３０を光軸と直交する方向に動かして、偏心調整をする。本発明は、この偏心調整の具体的手法は問わない。
【００１４】
偏心調整が終了したら、紫外線硬化型接着剤の塗布ニードル（図示せず）を３個の接着剤塗布切欠３５上に同時に移動させ、適量を滴下する。すると、紫外線硬化型接着剤４０が接着剤塗布切欠３５と接着剤塗布凹部２５に渡って流れる（塗布される）。塗布を確認したら、該接着剤部分に紫外線を照射して硬化させると、調整固定枠２０とレンズ枠体３０、つまり第２−１レンズＬ２１、第２−２レンズＬ２２、第２−３レンズＬ２３が光軸を厳密に一致させた状態で固定される。接着剤塗布凹部２５と接着剤塗布切欠３５は、接着剤の接着関与面積を大きくして、確実な固定をするために効果がある。図１には、紫外線硬化型接着剤４０の塗布位置にハッチングを付した。
【００１５】
以上は、図５に示す特定のズームレンズ鏡筒内の第２レンズ群Ｌ２の偏心調整に本発明を適用したものであるが、本発明は、レンズ鏡筒の構成を問わず、特にピント感度（偏心感度）が高いレンズ（群）をもつレンズ光軸調整枠構造一般に適用可能である。また、図示実施形態は、調整固定枠２０にレンズＬ２１が支持されているが、調整固定枠２０にレンズが直接支持されているか否かは問わない。すなわち、調整固定枠２０は、光軸方向の位置基準面２３と、レンズ枠体３０の一部が径方向の遊びをもって嵌合する光軸中心開口２２とを有するものであれば、よい。
【００１６】
【発明の効果】
本発明によれば、レンズとレンズ枠体、あるいはレンズ枠体同士の嵌合精度によることなく、レンズを支持したレンズ枠体の調整固定枠に対する光軸方向の位置を定めたまま光軸と直交する方向の位置調整を可能とし、調整後に接着剤によってその調整後の位置に固定することができるので、高精度な偏心調整を必要とするレンズ群の光軸調整枠構造として好適である。
さらに、レンズ枠体の位置基準面を調整固定枠の位置基準面に当接させながら、レンズ枠体を調整固定枠に対して回転させて、調整固定枠の位置指標凹部とレンズ枠体の位置指標切欠を重合させると、調整固定枠の接着剤塗布凹部とレンズ枠体の接着剤塗布切欠が重合するので、調整固定枠の接着剤塗布凹部とレンズ枠体の接着剤塗布切欠に接着剤を塗布して、調整固定枠にレンズ枠体を固定する作業を簡単に行える。
【図面の簡単な説明】
【図１】  本発明によるレンズ光軸調整枠構造の一実施形態を示す、調整固定枠とレンズ枠体の接着固定状態を示す斜視図である。
【図２】  同調整固定枠単体の斜視図である。
【図３】  同レンズ枠体単体の斜視図である。
【図４】  図１の縦断面図である。
【図５】  図１、図４のレンズ群を組み込んだレンズ鏡筒全体の縦断面図である。
【符号の説明】
１０  ＣＣＤ
２０  調整固定枠
２１  筒状部
２２  光軸中心開口
２３  位置基準面
２５  接着剤塗布凹部
２６  位置指標凹部
３０  レンズ枠体
３１  ３２  筒状部
３３  位置基準面
３４  外方分割フランジ
３５  接着剤塗布切欠
３６  位置指標切欠
４０  紫外線硬化型接着剤
【図１】
0003762666.tif 000002
【図２】
0003762666.tif 000003
【図３】
0003762666.tif 000004
【図４】
0003762666.tif 000005
【図５】
0003762666.tif 000006